(57)【要約】【課題】  未使用及び使用中の双方のマスクを嵩張ることなく、しかもワンタッチで容易に取り出しできるようにすることである。【解決手段】  ケース本体２０に分離板２１を介して第１及び第２の各保管室Ｒ11，Ｒ12が背中合せとなって設けられたマスク保管ケースＣ1 を用い、マスク本体１に巾方向に沿って所定間隔をおいて長手方向に設けられた複数本の折畳み線４ａ，４ｂにより、当該マスク本体１を３つ折り以上に折り畳むことで、未使用のマスクＭｆを前記ケースＣ1 の第１保管室Ｒ11に積層して収納・保管すると共に、使用中のマスクＭｕを前記第２保管室Ｒ12に収納・保管できる構成とする。【選択図】      図７
2014226184.tif 000002
【特許請求の範囲】
【請求項１】
折畳み状態から長方形シート状に展開されるマスク本体の長手方向の両端に耳掛け紐が取付けられて、人の口及び鼻の部分を含む顔面を覆うマスクの折畳み構造であって、
前記マスク本体には、複数本の折畳み線が巾方向に所定間隔をおいて長手方向に設けられ、各折畳み線において巾方向に沿って交互に逆方向に折り畳まれていることを特徴とするマスクの折畳み構造。
【請求項２】
前記折畳み線は、マスク本体の巾方向に等間隔をおいて３本が形成されて、展開途中の横断面形状はＷ形であり、マスク本体は４つ折りされて、人の顔面に接触する接触面が全て内側に配置されていることを特徴とする請求項１に記載のマスクの折畳み構造。
【請求項３】
前記マスク本体は、プリーツ構造であることを特徴とする請求項１又は２に記載のマスクの折畳み構造。
【請求項４】
請求項１ないし３のいずれかに記載の折り畳まれたマスクをケースに保管する構造であって、３つ折り以上に折り畳まれたマスクを１枚ずつ透明な包装袋に収容して、前記ケースに積層して保管することを特徴とするマスクの保管構造。
【請求項５】
請求項４に記載のマスクの保管構造により当該マスクを保管するケースであって、
ケース本体に、透明な包装袋に収容された未使用の折畳み状態のマスクを積層させて保管する第１保管室と、使用中のマスクを巾方向に折り畳んで一時保管する第２保管室とが分離板を介して背中合わせとなって配置され、当該第１及び第２の各保管室に対する未使用及び使用中の各マスクの挿入及び取出しを行う各開口を閉塞する各蓋体が設けられていることを特徴とするマスク保管ケース。
【請求項６】
前記第１保管室は、前記分離板の巾方向の両端部に互いに反対方向に向けて各本体板が一体に設けられたケース本体と、当該ケース本体の第１挿入・取出し開口側の部分にヒンジ連結されて、当該第１挿入・取出し開口を開閉する蓋体とで構成され、
折り畳まれて透明な包装袋に収容された未使用のマスクの前記第１保管室に対する挿入及び取出しは、当該マスクの巾方向に沿った移動により行われる構成であることを特徴とする請求項５に記載のマスク保管ケース。
【請求項７】
前記第２保管室は、前記第１保管室を１８０°反転させた構成であって、
当該第２保管室に対して使用中のマスクの挿入及び取出しを行う第２挿入・取出し開口は、前記第１挿入・取出し開口に対して対角線方向に配置されていることを特徴とする請求項６に記載のマスク保管ケース。
【請求項８】
前記ケース本体を構成する分離板の巾方向の両端部に対する各本体板が一体化された位置は、当該分離板の両端面から内方にずれた位置であって、当該分離板の両端面と、各本体板との間に、各蓋体を開く際に指先を当てるための段差部が形成されていることを特徴とする請求項７に記載のマスク保管ケース。
【請求項９】
請求項４に記載のマスクの保管構造により当該マスクを保管するケースであって、
透明な包装袋に収容された未使用の折畳み構造のマスク、及び使用中のマスクをそれぞれ保管する第１及び第２の各保管室は、ケース本体の内部に設けられた分離板を介して背中合わせとなって当該ケース本体内に形成され、
第１及び第２の各保管室には、前記分離板と同一形状の第１及び第２の挿入・取出し開口が形成されて、当該第１及び第２の挿入・取出し開口は、横断面視において対角線方向に設けられた各ヒンジ部を中心にヒンジ回動する第１及び第２の各蓋体により開閉される構成であり、
第１及び第２の各保管室に対する未使用及び使用中の各マスクの挿入及び取出しは、当該各マスクの折畳み面に対して垂直な方向に沿った移動により行われる構成であることを特徴とするマスク保管ケース。
【発明の詳細な説明】
【技術分野】
【０００１】
本発明は、未使用及び使用中のマスクを嵩張ることなく、しかもワンタッチで容易に取り出しできるマスクの折畳み構造、及びその保管構造、並びにマスク保管ケースに関するものである。
【背景技術】
【０００２】
日常生活において、人の口及び鼻の部分を含む顔面を覆う「フェイスマスク」と称されるマスクは、インフルエンザの流行時のように疾患の感染を防止する目的のみならず、混雑した通勤電車内のような群衆内において他人の吐息の直接の吸引を回避する等の種々の目的で使用され、常時使用する者さえいる。マスクを常時使用する者は、新規の未使用のマスクを数枚携帯する必要がある。しかし、未使用のマスクの携帯は、殆ど薬局等で購入したままの状態で、即ち、１枚ずつ収納パックに包装された状態で、数枚のマスクをバック或いは衣類のポケットに収納して携帯することが殆どであるため、収納パックに包装されたままのマスクを上記の状態で携帯することは、携帯自体を忘れ易い。また、未使用の数枚のマスクを携帯可能にするための専用のケースは、殆ど出現していない。
【０００３】
一方、会食時、会話時、会議時等においては、マスクを取り外さざるを得ず、この場合には、無造作にポケット等にしまい込むことは、不衛生であるため、取り外された使用中のマスクをケース等に一時的に保管することが望ましい。
【０００４】
使用中のマスクを一時保管するためのケースは、例えば特許文献１〜３に種々の構造のケースが開示されており、共通する構造は、マスク本体を長手方向又は巾方向に２つ折りしたり、或いはこれらを組み合せて収納するものである。特許文献１は、長手方向に沿って２つ折りする構造であり、特許文献２は、巾方向に２つ折りする構造であり、更に、特許文献３は、両方向に２つ折りする構造である。
【０００５】
このように、従来のケースにおいては、ケースに対するマスクの収納において、長手方向又は巾方向、或いはその両方向に２つ折りする発想しか存在せず、この結果、いずれのケースにおいても、方形状をしたケースの一辺の長さは、マスク本体の長さ（長手方向の寸法）又は巾（短手方向の寸法）の半分よりも大きくならざるを得ず、使用中の単に１枚のマスクのみを保管するには、サイズが大きくなり過ぎる。しかも、ケース本体に対して蓋体が開閉する構造の他に、ケースの内部において、マスクを押さえ付けるための機構が配されていて、単に１枚の使用中のマスクの収納に対しては、構造が複雑過ぎる。
【０００６】
しかも、いずれのケースにおいても、使用中の単に１枚のマスクを収納する発想しか存在せず、使用中のマスクに加えて、携帯している未使用のマスクを併せて収納するという発想は、本出願前には皆無であった。
【先行技術文献】
【特許文献】
【０００７】
【特許文献１】特開２００５−６１３号公報
【特許文献２】特開２０１２−１１０３５号公報
【特許文献３】特開２０１３−４８７１５号公報
【発明の概要】
【発明が解決しようとする課題】
【０００８】
本発明の課題は、未使用及び使用中の双方のマスクを嵩張ることなく、しかもワンタッチで容易に取り出しできるようにすることである。
【課題を解決するための手段】
【０００９】
第１の課題を解決するための請求項１の発明は、折畳み状態から長方形シート状に展開されるマスク本体の長手方向の両端に耳掛け紐が取付けられて、人の口及び鼻の部分を含む顔面を覆うマスクの折畳み構造であって、前記マスク本体には、複数本の折畳み線が巾方向に所定間隔をおいて長手方向に設けられ、各折畳み線において巾方向に沿って交互に逆方向に折り畳まれていることを特徴としている。
【００１０】
請求項１の発明によれば、マスク本体には、複数本の折畳み線が巾方向に所定間隔をおいて長手方向に設けられ、当該マスク本体は、各折畳み線において巾方向に沿って交互に逆方向に折り畳まれている構造であるので、折り畳まれた状態のマスク本体の長手方向の寸法は、使用状態と同一であるが、巾方向の寸法は、少なくとも（１／３）以下となって、折畳み状態のマスク本体は、細長比（巾寸法に対する長さ寸法の比）が大きくなって、細長くなる。このため、ケースに保管する際において、嵩張らなくなる。
【００１１】
請求項２の発明は、請求項１の発明において、前記折畳み線は、マスク本体の巾方向に等間隔をおいて３本が形成されて、展開途中の横断面形状はＷ形であり、マスク本体は４つ折りされて、人の顔面に接触する接触面が全て内側に配置されていることを特徴としている。
【００１２】
請求項２の発明によれば、人の顔面に接触する接触面の全面が内側に配置されて、保管時及び取出し時等において、接触面が他の部分に接触しないので、マスクを衛生的に保管できる。
【００１３】
請求項３の発明は、請求項１又は２の発明において、前記マスク本体は、プリーツ構造であることを特徴としている。
【００１４】
請求項３の発明によれば、プリーツ構造のマスク本体の多くは不織布で形成されて薄い構造であるので、折畳みが容易であるのに加えて、折り畳まれた状態においても、嵩張らない。
【００１５】
請求項４の発明は、請求項１ないし３のいずれかに記載の折り畳まれたマスクをケースに保管する構造であって、３つ折り以上に折り畳まれたマスクを１枚ずつ透明な包装袋に収容して、前記ケースに積層して保管することを特徴としている。
【００１６】
請求項４の発明によれば、３つ折り以上に折り畳まれたマスクを１枚ずつ透明な包装袋に収容して、前記ケースに積層して保管するので、折畳み状態が崩されることなく、そのままの状態でケースに積層して保管できるため、マスクの保管状態が安定化する。
【００１７】
請求項５の発明は、請求項４に記載のマスクの保管構造により当該マスクを保管するケースであって、ケース本体に、透明な包装袋に収容された未使用の折畳み状態のマスクを積層させて保管する第１保管室と、使用中のマスクを巾方向に折り畳んで一時保管する第２保管室とが分離板を介して背中合わせとなって配置され、当該第１及び第２の各保管室に対する未使用及び使用中の各マスクの挿入及び取出しを行う各開口を閉塞する各蓋体が設けられていることを特徴としている。
【００１８】
請求項５の発明によれば、第１保管室に未使用のマスクを積層して保管できるのに加えて、使用中のマスクを第２保管室に保管できる。即ち、折り畳まれたマスク本体の巾寸法は、展開状態の巾寸法の（１／３）以下であるため、ケース自体が細長い筆入れのような形状となって、同一のケースに未使用及び使用中の双方のマスクを嵩張ることなく保管できる。また、可動部分は、ケース本体に設けられた第１及び第２の各保管室の開口を閉塞するための各蓋体のみであるため、単にマスクを保管するためのマスク保管ケースに対応した簡素な構造となって、取り扱いが容易である。
【００１９】
請求項６の発明は、請求項５の発明において、前記第１保管室は、前記分離板の巾方向の両端部に互いに反対方向に向けて各本体板が一体に設けられたケース本体と、当該ケース本体の第１挿入・取出し開口側の部分にヒンジ連結されて、当該第１挿入・取出し開口を開閉する蓋体とで構成され、折り畳まれて透明な包装袋に収容された未使用のマスクの前記第１保管室に対する挿入及び取出しは、当該マスクの巾方向に沿った移動により行われる構成であることを特徴としている。
【００２０】
請求項６の発明は、ケースの第１保管室に対する折り畳まれて透明な包装袋に収容された未使用のマスクの挿入及び取出しは、当該マスクの巾方向に沿った移動により行われる構成であるため、即ち、財布に対する紙幣の挿入、及び取出しの形態と同一であるため、蓋体を開いて、折り畳まれたマスクの挿入及び取出しを狭い空間で行うことが可能となる。このため、通勤電車内等の混雑した狭い空間においても、使用中のマスクの挿入及び取出し、並びに未使用のマスクの取出しを支障なく行える。
【００２１】
請求項７の発明は、請求項６の発明において、前記第２保管室は、前記第１保管室を１８０°反転させた構成であって、当該第２保管室に対して使用中のマスクの挿入及び取出しを行う第２挿入・取出し開口は、前記第１挿入・取出し開口に対して対角線方向に配置されていることを特徴としている。
【００２２】
請求項７の発明によれば、第１及び第２の各保管室の各挿入・取出し開口は、横断面視において対角線方向に配置されていて、使用中及び未使用の各マスクの挿入或いは取出しの空間が独立して確保されるため、前記各蓋体の開閉時における干渉がなくなって、使用中及び未使用のいずれのマスクの挿入及び取出しをスムーズに行える。
【００２３】
請求項８の発明は、請求項７の発明において、前記ケース本体を構成する分離板の巾方向の両端部に対する各本体板が一体化された位置は、当該分離板の両端面から内方にずれた位置であって、当該分離板の両端面と、各本体板との間に、各蓋体を開く際に指先を当てるための段差部が形成されていることを特徴としている。
【００２４】
請求項８の発明によれば、ケース本体の第１及び第２の各保管室の各蓋体を開く際に、前記各段差部の存在により、直接に各蓋体の端面に指先を当てることができる。このため、各蓋体を開く際に指先を引っ掛けるための専用の引掛け片を当該各蓋体に設けなくて済む。
【００２５】
請求項９の発明は、請求項４に記載のマスクの保管構造により当該マスクを保管するケースであって、透明な包装袋に収容された未使用の折畳み構造のマスク、及び使用中のマスクをそれぞれ保管する第１及び第２の各保管室は、ケース本体の内部に設けられた分離板を介して背中合わせとなって当該ケース本体内に形成され、第１及び第２の各保管室には、前記分離板と同一形状の第１及び第２の挿入・取出し開口が形成されて、当該第１及び第２の挿入・取出し開口は、横断面視において対角線方向に設けられた各ヒンジ部を中心にヒンジ回動する第１及び第２の各蓋体により開閉される構成であり、第１及び第２の各保管室に対する未使用及び使用中の各マスクの挿入及び取出しは、当該各マスクの折畳み面に対して垂直な方向に沿った移動により行われる構成であることを特徴としている。
【００２６】
請求項９のケースは、分離板を挟んで互いに反対の側から第１及び第２の各保管室に未使用及び使用中の各マスクを折り畳んで保管するケースであって、未使用の折り畳まれた複数枚のマスクは、紙を重ねるようにして、積層する構造である点において、請求項５のケースとは異なる。
【発明の効果】
【００２７】
請求項１ないし４の発明に係るマスクの折畳み構造又はその保管構造によれば、折り畳まれたマスクの面積が小さくなると共に、細長比も大きくできて、大きな面積を占有することなく、保管できるので、未使用及び使用中のいずれのマスクにおいても、携帯に適している。
【００２８】
請求項５ないし９の発明に係るマスク保管ケースによれば、単に一つのケースによって、分離板を挟んで配置された第１及び第２の各保管室に未使用及び使用中の双方のマスクを折り畳んで収納して保管でき、しかも未使用のマスクに関しては、複数枚を積層して保管できるため、常に未使用のマスクを携帯できると共に、使用中のマスクも折り畳んで、第２保管室にワンタッチで収納保管できる。しかも、折り畳まれたマスクの細長比が大きくて、ケースも同様の細長い形状となるので、バック、カバン等に収納しても嵩張ることがない。
【図面の簡単な説明】
【００２９】
【図１】（ａ）は、プリーツ構造のマスク本体１を備えた展開状態のマスクＭｓの展開状態の正面図であり、（ｂ）は、（ａ）のＸ−Ｘ線拡大断面図である。
【図２】（ａ），（ｂ）は、それぞれ折畳み途中のマスクＭf'の斜視図及び中央横断面図である。
【図３】（ａ），（ｂ）は、それぞれ折り畳まれたのマスクＭｆの斜視図及び中央横断面図である。
【図４】（ａ），（ｂ）は、４つ折りされたマスクＭｆを透明の収納袋１１に収納する前後の斜視図である。
【図５】（ａ），（ｂ）は、それぞれ実施例１のマスク保管ケースＣ1 の各蓋体２４，２５を閉じた状態及び開いた状態の斜視図である。
【図６】（ａ），（ｂ）は、それぞれマスク保管ケースＣ1 の正面図及び平面図である。
【図７】（ａ），（ｂ）は、それぞれ各蓋体２４，２５を閉じた状態及び開いた状態における図６（ａ）のＹ−Ｙ線断面図である。
【図８】第１保管室Ｒ11に未使用のマスクＭｆを収納する状態を示すマスク保管ケースＣ1 の斜視図である。
【図９】第２保管室Ｒ12に使用中のマスクＭｕを収納する状態を示すマスク保管ケースＣ1 の斜視図である。
【図１０】一対の割型Ｍ1 ，Ｍ2 によりマスク保管ケースＣ1 が成形可能であることを示す断面図である。
【図１１】（ａ），（ｂ）は、それぞれ実施例２のマスク保管ケースＣ2 の斜視図、及び横断面図である。
【図１２】実施例３のマスク保管ケースＣ3 の斜視図である。
【図１３】（ａ），（ｂ）は、それぞれマスク保管ケースＣ3 の蓋体５４，５５を閉じた状態及び開いた状態の横断面図である。
【図１４】（ａ），（ｂ）は、それぞれマスク本体１を３つ折り及び５つ折りした状態の中央縦断面図である。
【発明を実施するための形態】
【００３０】
以下、複数の実施例を挙げて、本発明を更に詳細に説明する。なお、本発明は、マスクの折畳み構造を含むものであって、当該マスクの状態として、使用状態である展開状態と、保管状態である折畳み状態とがあるが、特に、状態を特定しない場合には、展開状態（使用状態）である。
【実施例１】
【００３１】
最初に、図１〜図３を参照して、マスクＭｓの構成、及びその折畳み構造について説明する。なお、マスクＭｓ（Ｍｆ）の図示に関しては、図１（ｂ）のマスク本体１の拡大断面図のみ、生地の厚さを無視して、１本線のみによるスケルトン表示（骨格表示）してある。マスクＭｓは、人の顔面を覆うマスク本体１と、当該マスク本体１の長手方向の両端部に連結されたゴム紐製の一対の耳掛け紐２とから成る。図示のマスク本体１は、不織布から成る数条のひだ部３を有するプリーツ構造であるため、全体が薄手に形成され、ひだ部３を拡げることで、顔面に対するマスク本体１の装着位置をずらすことなく、空間部が形成されて呼吸が容易な構造になっている。
【００３２】
また、マスク本体１の製造時において、折畳み癖を有する数本の折畳み線４ａ，４ｂが巾方向に一定間隔をおいて長手方向の全長に亘って形成されている。図示例では、折り畳み途中の横断面形状がＷ形となって、４つ折り構造であるために、計３本の折畳み線４ａ，４ｂが形成されている。中央の１本の折畳み線４ａは、谷折り用であって、残りの２本の折畳み線４ｂは、山折り用である。なお、装着状態において、マスク本体１の上端部の裏面側には、顔面に対するフィット形状を維持させるための整形金属線材５が長手方向（横方向）に沿って取付けられている。
【００３３】
そして、図２及び図３に示されるように、折畳み途中の横断面形状がＷ形となるように、計３本の各折畳み線４ａ，４ｂでそれぞれ山折り及び谷折りすると、マスク本体１は、４つ折りで折り畳まれる。４つ折りであるために、マスク本体１における人の顔面に接触する内面（接触面）６の全面は、いずれも内側となって折り畳まれて、外部に露出されることはない。このため、後述の透明の収納袋１１に対する収納時、及び取出し時において、マスク本体１の内面（接触面）６が他の部分に触れることはないので、衛生的である。なお、図１及び図２において、７は、マスク本体１の外面（非接触面）を示す。
【００３４】
展開状態のマスクＭｓのマスク本体１の縦横の各寸法（巾寸法及び長さ寸法）が（１７５×９５）ｍｍであるとすると、折り畳まれたマスクＭｆの縦横の各寸法は、ほぼ（１７５×２４）ｍｍとなり、横寸法（長さ寸法）を原寸法に保持したままで、縦寸法（巾寸法）及び表面積は、いずれも（１／４）となって、全体形状が細長比の大きな細長い形状となって、大幅に小サイズ化される。また、マスク本体１の生地が不織布で薄地であるために、４つ折りされても、それ程、嵩張らない。不織布で成形されることで薄手のマスク本体１の厚さは、ほぼ（０．８ｍｍ）であって、４つ折りされたマスク本体１の厚さは、ほぼ（３．５ｍｍ）である。即ち、耳掛け紐２は、収納袋１１に対する収納に対応させて、最も外側の折畳み片の外面７に当てがっておく。
【００３５】
折り畳まれたマスクＭｆは、図４に示されるように、当該マスクＭｆに対してほぼ相似であって、僅かに大きな透明の収納袋１１に収納される。即ち、収納袋１１の長手方向の一端の開口１２からマスクＭｆが収納された後に、開口１２の側の所定長の部分〔図４（ｂ）で符号１３で示される部分〕が折り返されて、閉塞される。４つ折りされたマスクＭｆが透明な収納袋１１に収納されて包装された状態の長さ、及び巾は、それぞれ（Ｌｍ），（Ｗｍ）である。なお、図４において、１４は、マスクＭｆの収納時において収納袋１１内の空気を抜くために、当該収納袋１１の開口１２と反対側のコーナー部の切除部を示す。
【００３６】
４つ折りされたマスクＭｆは、上記のようにして、透明の収納袋１１に収納されたものが多数枚束ねられて、工場内で保管されたり、出荷されて、店頭に陳列される。ユーザーは、透明の収納袋１１に収納されたマスクＭｆを、この折畳み状態で必要数だけ購入する。
【００３７】
なお、上記した包装例では、折り畳まれたマスクＭｆの全体が収納袋１１に収納される構成であるため、後述のマスク保管ケースＣ1 〜Ｃ3 に収納・保管したり、取り出したりする際に、各耳掛け紐２が絡み付いたり、引っ掛かったりしない利点があるが、各耳掛け紐２の端部が露出しないようにして、マスクＭｆの両端部を除く中央部のみを包装したり、包装袋からのマスクＭｆの取り出しが便利なように、長手方向の一端部のみを包装せずに開放させる包装形態もあり得る。
【００３８】
次に、図５〜図９を参照して、折り畳まれて包装されたマスクＭｆ及び使用中の折り畳まれたマスクＭｕを収納して保管するマスク保管ケースＣ1 について説明する。マスク保管ケースＣ1 は、分離板２１によって分離された第１及び第２の各保管室Ｒ11，Ｒ12を備えていて、その長さ（Ｌｃ）及び巾（Ｗｃ）は、折り畳まれて包装されたマスクＭｆの長さ（Ｌｍ）及び巾（Ｗｍ）よりも僅かに大きくなっていて（図７及び図８参照）、巾の狭い「筆入れ」に近似した形状となっている。図７に示されるように、折り畳まれた未使用のマスクＭｆを収納保管する第１保管室Ｒ11は、複数枚のマスクＭｆを積層させて（重ね合せて）収納可能なように、未使用のマスクＭｆを保管する第１保管室Ｒ11の分離板２１に対して垂直な方向の寸法Ｌ1 は、使用済のマスクＭｕを保管する第２保管室Ｒ12の分離板２１に対して垂直な方向の寸法Ｌ2 よりも大きくなっている〔図７（ａ）参照〕。マスク保管ケースＣ1 の横断面形状は、陸上競技で使用されるトラックの形状、即ち、一対の半円弧を所定間隔をおいて対向させて、各半円弧の両端を直線で結んだ形状に近似した形状となっている。実施例１のマスク保管ケースＣ1 は、後述のように、樹脂の射出成形により形成される。
【００３９】
分離板２１の巾方向の両端部には、半Ｕ字状をした本体板２２，２３が当該分離板２１の互いに反対側に配置されて一体に設けられて、各本体板２２，２３は、当該分離板２１と所定の間隔をおいて配置され、各本体板２２，２３の横断面視における端部には、それぞれ第１及び第２の各保管室Ｒ11，Ｒ12を閉塞する蓋体２４，２５がヒンジ部２６，２７を介して回動可能に連結されている。各ヒンジ部２６，２７は、長手方向に沿った２箇所において所定長を有して形成されている。分離板２１の巾方向の両端部には、第１及び第２の各保管室Ｒ11，Ｒ12が蓋体２４，２５により閉塞された状態において、当該蓋体２４，２５を分離板２１の巾方向の両端部に係止させて外れないようにするための凹凸状の係止部２８，２９がそれぞれ形成されている。各蓋体２４，２５のヒンジ部２６，２７と反対側の端部における長手方向に沿った中央部には、前記各係止部２８，２９に係止される被係止部３１，３２がそれぞれ形成され、当該各被係止部３１，３２の部分には、当該係止を解除して蓋体２４，２５を開く際に、指先を引っ掛けて、蓋体２４，２５を開く操作を容易にするための引掛け片３３，３４が、当該各蓋体２４，２５の端部に対して起立した形態でそれぞれ形成されている。
【００４０】
分離板２１の巾方向の両端部における互いに反対側となる部分に、各本体板２２，２３がそれぞれ一体に形成されたことで、ケース本体２０が形成されている。一体となった分離板２１及び各本体板２２，２３の長手方向の両端部には、それぞれ側板３５が一体に形成されて、第１及び第２の各保管室Ｒ11，Ｒ12の長手方向の両端を閉塞している。よって、各蓋体２４，２５を開いた状態において形成される各開口は、それぞれ第１及び第２の各保管室Ｒ11，Ｒ12に対して折り畳まれた未使用及び使用中の各マスクＭｆ，Ｍｕを挿入したり、或いは取り出したりする第１及び第２の各挿入・取出し開口３６，３７となっている〔図７（ａ）参照〕。各蓋体２４，２５は、第１及び第２の各挿入・取出し開口３６，３７を閉塞した状態において、両側の各側板３５の間に嵌め込まれる構成となっていて、第１及び第２の各保管室Ｒ11，Ｒ12に各マスクＭｆ，Ｍｕが収納・保管された状態において、各ヒンジ部２６，２７及び各引掛け片３３，３４が、各本体板２２，２３及び各蓋体２４，２５の外周面に対して僅かに突出しているのみで、残りの部分は、全て平滑なわん曲面又は平面となっているために、当該マスク保管ケースＣ1 をバック又はカバンに収容した場合においても、バック等の内周面又は周囲の物品に対して引っ掛かることはない。
【００４１】
このように、ケース本体２０に形成された第１及び第２の各保管室Ｒ11，Ｒ12の各挿入・取出し開口３６，３７を閉塞する各蓋体２４，２５は、マスク保管ケースＣ1 の横断面視において対角線方向に沿って配置されているため、各蓋体２４，２５の開閉時において、互いに干渉することなく、開閉に必要な空間を大きく確保できる利点がある。
【００４２】
ここで、収納袋１１に折り畳んで収納されたマスクＭｆの長さ（Ｌｍ）及び巾（Ｗｍ）が、（１７５×２４）ｍｍの場合には、マスク保管ケースＣ1 の長さ（Ｌｃ）及び巾（Ｗｃ）は、（２００×３５）ｍｍとなり、第１及び第２の各保管室Ｒ11，Ｒ12の前記各寸法Ｌ1 ，Ｌ2 は、それぞれ（１１ｍｍ），（８ｍｍ）である。このため、第１保管室Ｒ11には、最大３枚の未使用のマスクＭｆを収納・保管でき、第２保管室Ｒ12には、使用中のマスクＭｕを余裕を有して収納・保管できる。
【００４３】
このため、マスク保管ケースＣ1 の第１保管室Ｒ11に対して折り畳まれて収納袋１１に収納された未使用のマスクＭｆを収納して保管するには、図８に示されるように、ケース本体２０に対して蓋体２４を開いて第１挿入・取出し開口３６を開口させて、財布に対して紙幣を挿入するようにして、即ち、当該開口３６からマスクＭｆを当該マスクＭｆの巾方向に移動させて、第１保管室Ｒ11に収納させた後に、当該開口３６を蓋体２４で閉塞することで保管する。第１保管室Ｒ11には、折り畳まれたマスクＭｆを複数枚積層して（重ね合せて）保管できる。そして、未使用のマスクＭｆを取り出して新規に使用するには、前記蓋体２４を開いて、財布から紙幣を取り出すようにして、折り畳み状態の１枚のマスクＭｆを取り出した後に、収納袋１１からマスクＭｆを取り出して、使用状態に展開させればよい。
【００４４】
一方、会食時、会話時等において、使用中のマスクＭｕを一時的に保管するには、図９に示されるように、展開状態のマスクＭｓを折り畳むことで、巾がほぼ（１／４）に小サイズ化された折畳み状態のマスクＭｆにして、ケース本体２０の第２保管室Ｒ12に、財布に対して紙幣を挿入するようにして挿入して保管する。この際に、次の使用を容易にするために、耳掛け紐２は、最も外側に配置しておくことが望ましい。
【００４５】
このように、実施例１のマスク保管ケースＣ1 によれば、未使用のマスクＭｆ及び使用中のマスクＭｕの双方を折り畳んで、ケース本体２０内において分離板２１により分離された第１及び第２の各保管室Ｒ11，Ｒ12に別々に収納して保管でき、しかも未使用のマスクＭｆ及び使用中のマスクＭｕを各保管室Ｒ11，Ｒ12に対して挿入したり、或いは取り出したりする第１及び第２の各挿入・取出し開口３６，３７は、横断面視において対角線方向に配置されていて、互いに干渉しないので、第１及び第２の各保管室Ｒ11，Ｒ12に対する各マスクＭｆ，Ｍｕの挿入及び取出しをスムーズに行える。特に、各マスクＭｆ，Ｍｕの取出しに関しては、折り畳まれた状態において，当該各マスクＭｆ，Ｍｕの巾方向の約半分が露出しているため、当該露出部を掴むことで、容易に取り出すことができる利点もある。
【００４６】
また、未使用及び使用中の各マスクＭｆ，Ｍｕは、いずれも巾方向に沿って折り畳まれていて、長手方向には、折り畳まれてない構造であるため、折畳み状態が安定しているので、ケース本体２０の内部の第１及び第２の各保管室Ｒ11，Ｒ12において、各マスクＭｆ，Ｍｕの折畳み状態を保持させるための機構は不要となる。このため、マスク保管ケースＣ1 における可動部分は、第１及び第２の各保管室Ｒ11，Ｒ12の各挿入・取出し開口３６，３７を閉塞する各蓋体２４，２５の回動のみとなって、単にマスクを収納するに値する簡素であって、しかも各蓋体２４，２５を開閉させるのみという簡単な構造が実現される。
【００４７】
また、図１０に示されるように、実施例１のマスク保管ケースＣ1 は、ケース本体２０に対して各蓋体２４，２５を開いた状態において、アンダーカット部が存在しないので、この状態において、スライド型を一切使用することなく、一対の割型Ｍ1 ，Ｍ2 のみで射出成形可能であり、機能性のみならず、成形性の点においても利点を有している。即ち、一対の割型Ｍ1 ，Ｍ2 のうち、可動側の型を矢印Ｐ1 の方向に移動させるのみでよい。また、ヒンジ部２６，２７は、射出成形時に薄肉とすることで、ヒンジ回動が可能となる。なお、図１０において、Ｓ1 は、一対の割型Ｍ1 ，Ｍ2 のパーティング面を示す。
【実施例２】
【００４８】
図１１に、実施例２のマスク保管ケースＣ2 が示されており、当該マスク保管ケースＣ2 は、実施例１のマスク保管ケースＣ1 に対して引掛け片３３，３４を欠落させた構成が異なるのみで、残りの部分の構成は、当該ケースＣ1 と同一であるので、同一部分には、同一符号を付し、異なる部分についてのみ説明する。
【００４９】
ケース本体２０における分離板２１に対して各本体板２２，２３の一体化されている部分は、実施例１のケースＣ1 においては、当該分離板２１の巾方向の端部であるが、実施例２のケースＣ2 においては、当該分離板２１の端部から内方に僅かにずれた部分にすることで、係止部２８，２９が形成される分離板２１の両端面部と、各本体板２２，２３との間に段差部４１，４２を形成して、当該段差部４１，４２を利用して、引掛け片３３，３４を設けなくても、各蓋体２４，２５の端面２４ａ，２５ａに指先を当てられるように構成されている。
【実施例３】
【００５０】
次に、図１２及び図１３を参照して、実施例３のマスク保管ケースＣ3 について説明する。実施例１，２の各ケースＣ1 ，Ｃ2 は、いずれも財布に対して紙幣を挿入したり、取り出しするような形態で、即ち、第１及び第２の各保管室Ｒ11，Ｒ12に収納・保管される未使用及び使用中の各マスクＭｆ，Ｍｕを、当該マスクＭｆ，Ｍｕの巾方向に移動させる形態で、第１及び第２の各保管室Ｒ11，Ｒ12に対する各マスクＭｆ，Ｍｕの挿入（収納）、及び取り出しが行われる。これに対して、実施例３のケースＣ3 は、第１及び第２の各保管室Ｒ31，Ｒ32に対する各マスクＭｆ，Ｍｕの挿入及び取り出しは、机上において紙を積み重ねるようにして、即ち、当該マスクＭｆ，Ｍｕの折畳み面に対して垂直な方向に沿った移動により行われる点において、実施例１，２の各ケースＣ1 ，Ｃ2 と保管構造自体が異なる。
【００５１】
ケース本体５０は、分離された筆箱本体と蓋体とから成る筆箱の当該筆箱本体の底板が嵩上げされた形状であって、分離板５１を介して第１及び第２の保管室Ｒ31，Ｒ32が背中合せとなって配置されて、両面の開口は、それぞれ未使用及び使用中のマスクＭｆ，Ｍｕの第１及び第２の各挿入・取出し開口５２，５３となっている。ケース本体５０の平面形状は、細長比の大きな長方形の両端部に半円が接続された形状である。ケース本体５０における横断面視で対角線方向の各端部には、それぞれ第１及び第２の保管室Ｒ31，Ｒ32を閉塞する蓋体５４，５５がヒンジ部５６，５７で連結されている。各蓋体５４，５５には、ケース本体５０に形成された各係止部５８，５９と係止される被係止部６１，６２が設けられている。なお、図１２及び図１３において、６３，６４は、ぞれぞれ第１及び第２の各保管室Ｒ31，Ｒ32を閉塞する各蓋体５４，５５に設けられた引掛け片を示す。
【００５２】
よって、未使用及び使用中の各マスクＭｆ，Ｍｕのいずれにおいても、各保管室Ｒ31，Ｒ32に対して机上で紙を重ね合せるようにして、各マスクＭｆ，Ｍｕを挿入（収納）したり、取り出したりする。実施例３のケースＣ3 では、ケース本体５０の有する空間部のみならず、蓋体５４，５５を閉じた状態において、当該蓋体５４，５５の裏面側に設けられる空間部によっても、各保管室Ｒ31，Ｒ32が形成されるために、その容積が大きくなる利点がある。
【００５３】
また、図１３（ｂ）から明白なように、実施例３のケースＣ3 においては、各蓋体５４，５５を開いた状態で、係止部５８，５９の部分は、分離板５１に対して垂直な方向に沿って僅かにアンダーカット部となるが、そのアンダーカット量は僅かであるので、ケースＣ3 においても、「無理抜き」と称される方法によって、パーティング面を（Ｓ3)として、矢印Ｐ3 の方向に移動する一対の割型による射出成形が可能である。
【００５４】
また、上記実施例のマスクＭｆは、薄手のマスク本体１を４つ折りした例であって、人の顔面に接触する接触面６の全面が内側に配置され、当該接触面６は、使用前の取扱い時に他の物品に接触する恐れがないために、衛生的であると共に、折り畳まれた状態のマスクＭｆの巾は、ほぼ２４ｍｍであると共に、マスク保管ケースＣ1 の巾（Ｗｍ）もほぼ３５ｍｍにできて、マスクＭｆ及びケースＣ1 の双方を小サイズ化できる利点がある。しかし、本発明においては、マスク本体の折り数は、４つ折りに限定される訳ではなく、３つ折り、或いは５つ折りであっても可能である（図１４参照）。
【００５５】
また、本発明のマスク保管ケースの保管対象のマスクは、折り畳んで収納するために、実施例のような不織布で成形された薄手のものが好ましい。薄手であれば、その生地は不織布に限定されない。
【符号の説明】
【００５６】
Ｃ1 〜Ｃ3 ：マスク保管ケース
Ｌｍ：折り畳んで包装されたマスクの長さ
Ｗｍ：折り畳んで包装されたマスクの巾
Ｍｆ：折畳み状態のマスク
Ｍｓ：展開状態（使用状態）のマスク
Ｍｕ：使用中のマスク
Ｒ11，Ｒ31：第１保管室
Ｒ12，Ｒ32：第２保管室
１：マスク本体
２：耳掛け紐
３：ひだ部
４ａ，４ｂ：折畳み線
２０，５０：ケース本体
２１，５１：分離板
２２，２３：本体板
２４，２５，５４，５５：蓋体
３６，５２：第１挿入・取出し開口
３７，５３：第２挿入・取出し開口
４１，４２：段差部
【図１】
2014226184.tif 000003
【図２】
2014226184.tif 000004
【図３】
2014226184.tif 000005
【図４】
2014226184.tif 000006
【図５】
2014226184.tif 000007
【図６】
2014226184.tif 000008
【図７】
2014226184.tif 000009
【図８】
2014226184.tif 000010
【図９】
2014226184.tif 000011
【図１０】
2014226184.tif 000012
【図１１】
2014226184.tif 000013
【図１２】
2014226184.tif 000014
【図１３】
2014226184.tif 000015
【図１４】
2014226184.tif 000016